【手続補正書】
【提出日】令和3年6月2日(2021.6.2)
【手続補正１】
【補正対象書類名】特許請求の範囲
【補正対象項目名】全文
【補正方法】変更
【補正の内容】
【特許請求の範囲】
【請求項１】
地理的エリアのトポロジ変更を決定することと、
目標カバレッジ領域内の車両トラフィックと通信するように構成された第１の地域サーバに関連付けられた前記目標カバレッジ領域に隣接した前記地理的エリア内の１つまたは複数のカバレッジ領域のセットであって、それぞれが前記１つまたは複数のカバレッジ領域のセットのうちの対応するカバレッジ領域内における車両トラフィックと通信するように構成された１つまたは複数の第２の地域サーバのセットに関連付けられた前記１つまたは複数のカバレッジ領域のセットを決定することと、
前記１つまたは複数のカバレッジ領域のセットの領域カウントが領域カウント閾値を満たすことを判定することと、
前記１つまたは複数のカバレッジ領域のセットの前記領域カウントが前記領域カウント閾値を満たすと判定することに応答して、前記１つまたは複数のカバレッジ領域のセットの各カバレッジ領域に対してモーフィング部分を決定することと、
対応するモーフィング部分に基づいて、前記１つまたは複数の第２の地域サーバのセットに関連付けられた前記１つまたは複数のカバレッジ領域のセットをモーフィングすることと
を含む方法。
【請求項２】
前記地理的エリアの前記トポロジ変更が、
前記第１の地域サーバの前記目標カバレッジ領域を作成し、前記第１の地域サーバが開始されることと、
前記第１の地域サーバに関連付けられた第１のカバレッジ領域を前記目標カバレッジ領域に拡張することと
のうち１つを含み、
前記１つまたは複数のカバレッジ領域のセットのカバレッジ領域の前記モーフィング部分を、第２の地域サーバに関連付けられた前記カバレッジ領域が前記第１の地域サーバの前記目標カバレッジ領域と重なるエリアを含むように決定する、
請求項１に記載の方法。
【請求項３】
前記１つまたは複数の第２の地域サーバのセットに関連付けられた前記１つまたは複数のカバレッジ領域のセットをモーフィングすることが、
前記カバレッジ領域に相当する前記モーフィング部分を除外するように、前記第２の地域サーバに関連付けられた前記カバレッジ領域を縮小することと、
前記モーフィング部分に関連付けられたデータを、前記第２の地域サーバから前記第１の地域サーバへ送信することと、
前記モーフィング部分内に位置する複数の車両に前記第１の地域サーバと通信するように指示することと、を含む、請求項２に記載の方法。
【請求項４】
前記地理的エリアの前記トポロジ変更が、
前記第１の地域サーバに関連付けられた第１のカバレッジ領域を消去し、前記第１の地域サーバが削除されることと、
前記第１の地域サーバに関連付けられた前記第１のカバレッジ領域を前記目標カバレッジ領域に縮小することと
のうち１つを含み、
前記地理的エリア内の前記１つまたは複数のカバレッジ領域のセットを決定することが、
前記第１の地域サーバに関連付けられた前記第１のカバレッジ領域と前記目標カバレッジ領域の間の差分領域を決定することと、
前記１つまたは複数の第２の地域サーバのセットのリソース量が、前記１つまたは複数の第２の地域サーバのセットに関連付けられた前記１つまたは複数のカバレッジ領域のセットと前記差分領域内に位置する複数の車両を受け入れるためのリソース量を満たすことを判定することと
を含む、
請求項１に記載の方法。
【請求項５】
前記１つまたは複数のカバレッジ領域のセットの各カバレッジ領域に対して、前記モーフィング部分を決定することが、
第２の地域サーバのリソース量および前記差分領域のトラフィック状態に基づいて、前記差分領域から、前記第２の地域サーバに関連付けられたカバレッジ領域のモーフィング部分を決定することを含む、請求項４に記載の方法。
【請求項６】
前記１つまたは複数の第２の地域サーバのセットに関連付けられた前記１つまたは複数のカバレッジ領域のセットをモーフィングすることが、
前記カバレッジ領域に相当する前記モーフィング部分を含むように、前記第２の地域サーバに関連付けられた前記カバレッジ領域を拡大することと、
前記モーフィング部分に関連付けられたデータを、前記第１の地域サーバから前記第２の地域サーバへ送信することと、
前記モーフィング部分内に位置する複数の車両に前記第２の地域サーバと通信するように指示することとを含む、請求項５に記載の方法。
【請求項７】
前記１つまたは複数のカバレッジ領域のセットの前記領域カウントが、前記領域カウント閾値を満たさないと判定することと、
前記１つまたは複数のカバレッジ領域のセットの前記領域カウントが、前記領域カウント閾値を満たさないと判定することに応答して、前記第１の地域サーバおよび前記１つまたは複数の第２の地域サーバのセットから、前記地理的エリアの前記トポロジ変更に基づいて、１つまたは複数の第３の地域サーバのセットを決定することと、
前記１つまたは複数の第３の地域サーバのセットのために、前記地理的エリア内に１つまたは複数の第３のカバレッジ領域のセットを決定することと、
前記１つまたは複数の第３の地域サーバのセットに、前記１つまたは複数の第３のカバレッジ領域のセットをそれぞれ割り当てることと、をさらに含む、
請求項１に記載の方法。
【請求項８】
前記地理的エリアに前記１つまたは複数の第３のカバレッジ領域のセットを決定するこ
とが、
第３の地域サーバのリソース量および前記第３のカバレッジ領域のトラフィック状態に基づいて、前記第３の地域サーバの第３のカバレッジ領域を決定することを含む、請求項７に記載の方法。
【請求項９】
前記第１の地域サーバおよび前記１つまたは複数の第２の地域サーバのセットを、１つまたは複数の物理的地域サーバおよび１つまたは複数の仮想地域サーバに分類することと、
前記１つまたは複数の物理的地域サーバに相当する１つまたは複数の一時的な仮想地域サーバを開始することと、
各物理的地域サーバに関連付けられたデータを、前記物理的地域サーバに相当する一時的な仮想地域サーバに送信することと、
前記１つまたは複数の第３の地域サーバのセットに、前記１つまたは複数の第３のカバレッジ領域のセットをそれぞれ割り当てることに応答して、前記１つまたは複数の仮想地域サーバおよび前記１つまたは複数の一時的な仮想地域サーバから、前記第３のカバレッジ領域に関連付けられた第３の地域サーバに、各第３のカバレッジ領域に関連付けられたデータを送信することと、
をさらに含む、請求項７に記載の方法。
【請求項１０】
各第３のカバレッジ領域に関連付けられた前記データを、前記第３のカバレッジ領域に関連付けられた前記第３の地域サーバに送信することに応答して、前記第３の地域サーバに関連付けられた前記第３のカバレッジ領域内に位置する複数の車両に、前記第３の地域サーバと通信するように指示することと、
前記１つまたは複数の一時的な仮想地域サーバを削除することと、
をさらに含む、請求項９に記載の方法。
【請求項１１】
前記地理的エリアの前記トポロジ変更が、トリガイベントに関連付けられ、前記トリガイベントが、
車道状態の変化、トラフィック状態の変化、および前記地理的エリア内の道路セグメントのトラフィックパターンに反映されるトラフィック状態の変化と、
前記地理的エリア内のアプリケーションアクセス可能エリアで一時的にアクセス可能な車両アプリケーションの実施と、
前記地理的エリアのカバレッジ領域に関連付けられた地域サーバの無効化と、のうちの１つ以上を含む、請求項１に記載の方法。
【請求項１２】
前記地理的エリアの前記トポロジ変更を決定することが、
車両密度閾値を満たす道路セグメントの車両密度を有する前記地理的エリアの前記道路セグメントを決定することと、
前記道路セグメントに基づいて、前記第１の地域サーバの前記目標カバレッジ領域を決定することと、を含む、請求項１に記載の方法。
【請求項１３】
前記地理的エリアの前記トポロジ変更を決定することが、
前記第１の地域サーバで一時的に実施された車両アプリケーションのアプリケーションアクセス可能エリアを決定することと、
前記車両アプリケーションの前記アプリケーションアクセス可能エリアに基づいて、前記第１の地域サーバの前記目標カバレッジ領域を決定することと、を含む、請求項１に記載の方法。
【請求項１４】
前記地理的エリアの前記トポロジ変更を決定することが、
前記第１の地域サーバのリソース量および車両アプリケーションの動作要件に基づいて
、前記第１の地域サーバによって受け入れ可能な車両台数を推測することと、
前記第１の地域サーバに関連付けられた第１のカバレッジ領域を含む道路セグメントの車両密度を判定することと、
前記第１の地域サーバによって受け入れ可能な前記車両台数および前記道路セグメントの前記車両密度に基づいて、前記第１の地域サーバの前記目標カバレッジ領域を決定することと、を含む、請求項１に記載の方法。
【請求項１５】
システムであって、
１つまたは複数のプロセッサと、
命令を格納する１つまたは複数のメモリと、を含み、
前記命令が、前記１つまたは複数のプロセッサによって実行されると、前記命令が前記システムに、
地理的エリアのトポロジ変更を決定することと、
目標カバレッジ領域内の車両トラフィックと通信するように構成された第１の地域サーバに関連付けられた前記目標カバレッジ領域に隣接した前記地理的エリア内の１つまたは複数のカバレッジ領域のセットであって、それぞれが前記１つまたは複数のカバレッジ領域のセットのうちの対応するカバレッジ領域内における車両トラフィックと通信するように構成された１つまたは複数の第２の地域サーバのセットに関連付けられた前記１つまたは複数のカバレッジ領域のセットを決定することと、
前記１つまたは複数のカバレッジ領域のセットの領域カウントが、領域カウント閾値を満たすことを判定することと、
前記１つまたは複数のカバレッジ領域のセットの前記領域カウントが、前記領域カウント閾値を満たすと判定することに応答して、前記１つまたは複数のカバレッジ領域のセットの各カバレッジ領域に対してモーフィング部分を決定することと、
対応するモーフィング部分に基づいて、前記１つまたは複数の第２の地域サーバのセットに関連付けられた前記１つまたは複数のカバレッジ領域のセットをモーフィングすることと、を実行させる、システム。
【請求項１６】
それぞれが１つまたは複数の地域サーバのセットに関連付けられた１つまたは複数のカバレッジ領域のセットを含む地理的エリアに関連付けられたトラフィック・トリガ・イベントを検出することと、
前記トラフィック・トリガ・イベントに関連付けられたトラフィック状態に基づいて前記地理的エリアのトポロジ変更を決定することと、
前記地理的エリアのカバレッジ領域トポロジを変更することであって、前記地理的エリアの追加のカバレッジ領域を作成し、前記追加のカバレッジ領域を追加の地域サーバに関連付けることと、
前記１つまたは複数のカバレッジ領域のセットの１つまたは複数のカバレッジ領域をモーフィングすることと
のうちの１つまたは複数による前記トポロジ変更に基づいて、前記地理的エリアの前記カバレッジ領域トポロジを変更することと、
を含む方法。
【請求項１７】
前記トラフィック・トリガ・イベントが、
車道状態の変化、トラフィック状態の変化、および前記地理的エリア内の道路セグメントのトラフィックパターンに反映されるトラフィック状態の変化と、
車両密度、交通流量、平均車速、および前記道路セグメントに関連付けられた平均車間距離のうちの１つまたは複数を含む前記トラフィック・トリガ・イベントに関連付けられた前記トラフィック状態と、のうちの１つまたは複数を含む、請求項１６に記載の方法。
【請求項１８】
前記地理的エリアの前記トポロジ変更を決定することが、前記トラフィック・トリガ・
イベントに関連付けられた前記トラフィック状態に基づいて、第１の地域サーバのための前記地理的エリアの目標カバレッジ領域を決定することと、
前記トポロジ変更に基づいて前記地理的エリアの前記カバレッジ領域トポロジを変更することと、を含み、
前記トポロジ変更に基づいて前記地理的エリアの前記カバレッジ領域トポロジを変更することが、
前記地理的エリアの前記目標カバレッジ領域を作成し、前記目標カバレッジ領域を前記第１の地域サーバに関連付けて、前記第１の地域サーバが開始されることと、
前記第１の地域サーバに関連付けられた第１のカバレッジ領域を、前記目標カバレッジ領域にモーフィングすることと、
前記第１の地域サーバに関連付けられた前記第１のカバレッジ領域を消去し、前記第１の地域サーバを削除することと、のうちの１つまたは複数によって前記カバレッジ領域トポロジを変更する、請求項１６に記載の方法。
【請求項１９】
前記１つまたは複数の地域サーバのセットに関連付けられた前記１つまたは複数のカバレッジ領域のセットから、前記第１の地域サーバの前記目標カバレッジ領域に隣接した１つまたは複数の第２のカバレッジ領域のセットを決定することであって、前記１つまたは複数の第２のカバレッジ領域のセットが、それぞれ１つまたは複数の第２の地域サーバに関連付けられた決定することと、
前記第１の地域サーバの前記目標カバレッジ領域に基づいて、前記１つまたは複数の第２の地域サーバのセットに関連付けられた前記１つまたは複数の第２のカバレッジ領域のセットをモーフィングすることと、
をさらに含む、請求項１８に記載の方法。
【請求項２０】
前記トラフィック・トリガ・イベントに関連付けられた前記トラフィック状態に基づいて、前記第１の地域サーバの前記地理的エリアの前記目標カバレッジ領域を決定することが、
車両密度閾値を満たす道路セグメントの車両密度を有する前記地理的エリアの道路セグメントに基づいて、前記第１の地域サーバの前記目標カバレッジ領域を決定することと、
前記第１の地域サーバによって受け入れ可能な車両台数および前記第１の地域サーバに関連付けられた第１のカバレッジ領域を含む道路セグメントの車両密度に基づいて、前記第１の地域サーバの前記目標カバレッジ領域を決定することと、のうちの１つまたは複数を含む、請求項１８に記載の方法。